(57)【要約】      （修正有）【課題】配信中または視聴中の番組を録画する場合に、ユーザにとっての使い勝手がよく十分に実用に適するように改良を施した番組録画装置及び番組録画方法を提供する。【解決手段】配信中の複数の番組の中から所望の番組を選択し決定する選定手段１７と、選定手段１７で選択決定した番組に対する番組情報を取得し記憶する取得手段５０，６８と、取得手段５０，６８で取得した番組情報に基づいて選定手段１７で選択決定した番組が録画可能か否かを判別する判別手段と、取得手段５０，６８で取得した番組情報に基づいた表示を行なうとともに、判別手段の判別結果に基づいた表示を行なう制御手段とを備える。【選択図】図２
2006245682.tif 000002
【特許請求の範囲】
【請求項１】
配信中の複数の番組の中から所望の番組を選択し決定する選定手段と、
前記選定手段で選択決定した番組に対する番組情報を取得し記憶する取得手段と、
前記取得手段で取得した番組情報に基づいて前記選定手段で選択決定した番組が録画可能か否かを判別する判別手段と、
前記取得手段で取得した番組情報に基づいた表示を行なうとともに、前記判別手段の判別結果に基づいた表示を行なう制御手段とを具備することを特徴とする番組録画装置。
【請求項２】
前記判別手段は、
前記選定手段で選択決定した番組の配信される時間帯に重なって、他の番組の録画予約が設定されているか否かを判別し、他の番組の録画予約が設定されていない場合に、前記選定手段で選択決定した番組を録画可能とすること、
前記選定手段で選択決定した番組に対して受信契約がなされているか否かを判別し、受信契約がなされている場合に、前記選定手段で選択決定した番組を録画可能とすること、
前記選定手段で選択決定した番組に対してコピーが許可されているか否かを判別し、許可されている場合に、前記選定手段で選択決定した番組を録画可能とすること、のいずれかを行なうことを特徴とする請求項１記載の番組録画装置。
【請求項３】
前記制御手段は、前記判別手段によって録画可能であるとされたとき、前記選定手段で選択決定した番組に対して、録画を要求する操作が可能であることを表示し、前記判別手段によって録画不可であるとされたとき、前記選定手段で選択決定した番組に対して、録画を要求する操作が不可であることを表示することを特徴とする請求項１または２記載の番組録画装置。
【請求項４】
前記制御手段は、前記判別手段によって録画可能であるとされたとき、前記選定手段で選択決定した番組に対して、録画を要求する操作と選局を要求する操作とが選択的に可能であることを表示することを特徴とする請求項１または２記載の番組録画装置。
【請求項５】
前記制御手段は、前記判別手段によって録画不可であるとされたとき、前記選定手段で選択決定した番組に対して、録画を要求する操作が不可で選局を要求する操作が可能であることを表示することを特徴とする請求項１または２記載の番組録画装置。
【請求項６】
前記選定手段は、取得した番組情報に基づいて作成され表示された電子番組表上で、所望の番組を選択し決定することを特徴とする請求項１乃至５いずれかに記載の番組録画装置。
【請求項７】
番組の視聴中に所定の操作を行なうことにより、その視聴中の番組に対する番組情報を取得し記憶する取得手段と、
前記取得手段で取得した番組情報に基づいて、視聴中の番組が録画可能か否かを判別する判別手段と、
前記取得手段で取得した番組情報に基づいた表示を行なうとともに、前記判別手段の判別結果に基づいた表示を行なう制御手段とを具備することを特徴とする番組録画装置。
【請求項８】
前記判別手段は、
視聴中の番組の配信時間帯に重なって、他の番組の録画予約が設定されているか否かを判別し、他の番組の録画予約が設定されていない場合に、視聴中の番組を録画可能とすること、
視聴中の番組に対してコピーが許可されているか否かを判別し、許可されている場合に、視聴中の番組を録画可能とすること、のいずれかを行なうことを特徴とする請求項７記載の番組録画装置。
【請求項９】
前記制御手段は、前記判別手段によって録画可能であるとされたとき、視聴中の番組に対して録画を要求する操作が可能であることを表示し、前記判別手段によって録画不可であるとされたとき、視聴中の番組に対して録画を要求する操作が不可であることを表示することを特徴とする請求項７または８記載の番組録画装置。
【請求項１０】
前記判別手段で録画可能とされた番組を録画要求に基づいて録画するとともに、その番組の録画中に再生要求に応じて録画した番組を再生する録画再生手段を具備することを特徴とする請求項１乃至９いずれかに記載の番組録画装置。
【請求項１１】
配信中の複数の番組の中から所望の番組を選択し決定する工程と、
選択決定した番組に対する番組情報を取得し記憶する工程と、
取得した番組情報に基づいて選択決定した番組が録画可能か否かを判別する工程と、
取得した番組情報に基づいた表示を行なうとともに判別結果に基づいた表示を行なう工程とを具備することを特徴とする番組録画方法。
【請求項１２】
番組の視聴中に所定の操作を行なうことにより、その視聴中の番組に対する番組情報を取得し記憶する工程と、
取得した番組情報に基づいて、視聴中の番組が録画可能か否かを判別する工程と、
取得した番組情報に基づいた表示を行なうとともに判別結果に基づいた表示を行なう工程とを具備することを特徴とする番組録画方法。
【発明の詳細な説明】
【技術分野】
【０００１】
この発明は、配信中または視聴中の番組を録画する番組録画装置及び番組録画方法の改良に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
特許文献１及び２には、いずれも、現在視聴している番組に対して録画を要求する操作が行なわれた場合、その録画対象となる番組の終了時刻をＥＰＧ情報から取得することにより、番組の終了時刻に達したとき、ユーザが録画停止の操作を行なうことなく、自動的に録画を停止するようにした技術が開示されている。
【０００５】
ところで、実際の運用を考えた場合、現在放送中または視聴中の番組を録画するときには、ユーザが録画対象となる番組についての番組情報を容易に確認できるようにすることや、録画対象となる番組の放送時間帯に重なって他の番組の録画予約が設定されていたときの対策等を施すこと等が重要となる。
【特許文献１】特開２００１−２６８４８８号公報
【特許文献２】特開平１１−２６６４１１号公報
【発明の開示】
【発明が解決しようとする課題】
【０００６】
そこで、この発明は上記事情を考慮してなされたもので、配信中または視聴中の番組を録画する場合に、ユーザにとっての使い勝手がよく十分に実用に適するように改良を施した番組録画装置及び番組録画方法を提供することを目的とする。
【課題を解決するための手段】
【０００７】
この発明に係る番組録画装置は、配信中の複数の番組の中から所望の番組を選択し決定する選定手段と、選定手段で選択決定した番組に対する番組情報を取得し記憶する取得手段と、取得手段で取得した番組情報に基づいて選定手段で選択決定した番組が録画可能か否かを判別する判別手段と、取得手段で取得した番組情報に基づいた表示を行なうとともに、判別手段の判別結果に基づいた表示を行なう制御手段とを備えるようにしたものである。
【０００８】
また、この発明に係る番組録画方法は、配信中の複数の番組の中から所望の番組を選択し決定する工程と、選択決定した番組に対する番組情報を取得し記憶する工程と、取得した番組情報に基づいて選択決定した番組が録画可能か否かを判別する工程と、取得した番組情報に基づいた表示を行なうとともに判別結果に基づいた表示を行なう工程とを備えるようにしたものである。
【発明の効果】
【０００９】
上記した構成及び方法によれば、配信中の複数の番組の中から所望の番組を選択し決定したとき、その番組に対して番組情報を取得するとともに録画可能か否かを判別し、取得した番組情報及び判別結果を表示させるようにしたので、配信中または視聴中の番組を録画する場合に、ユーザにとっての使い勝手がよく十分に実用に適するものとなる。
【発明を実施するための最良の形態】
【００１０】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１１】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された半導体メモリを内蔵する第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（local area network）端子２１、第２のＬＡＮ端子２２、ＵＳＢ（universal serial bus）端子２３及びｉ．Link端子２４を備えている。
【００１５】
このうち、第１のＬＡＮ端子２１は、ＬＡＮ対応ＨＤＤ（hard disk drive）専用ポートとして使用されるもので、接続されたＮＡＳ（network attached storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１７】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内臓のＤＶＤレコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２１】
さらに、上記ｉ．Link端子２４は、例えばＡＶ−ＨＤＤ４１及びＤ（digital）−ＶＨＳ（video home system）４２、さらには、地上波デジタルチューナ（図示せず）等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２３】
そして、このチューナ４５で選局された放送信号は、ＰＳＫ（phase shift keying）復調器４６に供給されて、デジタルの映像信号及び音声信号に復調された後、信号処理部４７に出力される。
【００２４】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２５】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００２６】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されて、アナログの映像信号及び音声信号に復調された後、上記信号処理部４７に出力される。
【００２７】
さらに、上記信号処理部４７には、複数（図示の場合は４つ）の入力端子５４ａ，５４ｂ，５４ｃ，５４ｄが接続されている。これら入力端子５４ａ〜５４ｄは、それぞれ、アナログの映像信号及び音声信号を、デジタルテレビジョン放送受信装置１１の外部から入力可能とするものである。
【００２８】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施している。
【００２９】
また、この信号処理部４７は、上記アナログ復調器５３及び各入力端子５４ａ〜５４ｄからそれぞれ供給されたアナログの映像信号及び音声信号を選択的にデジタル化し、そのデジタル化された映像信号及び音声信号に対して所定のデジタル信号処理を施している。
【００３０】
この信号処理部４７が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ（on screen display）信号を重畳する処理、映像信号に対するスケーリング処理、音声信号に対するデコード処理等がある。
【００３１】
そして、信号処理部４７から出力されたデジタルの映像信号は、映像処理部５５に供給される。この映像処理部５５は、入力されたデジタルの映像信号を、前記映像表示器１４で表示可能なフォーマットのアナログ映像信号に変換した後、映像表示器１４に出力して映像表示させるとともに、出力端子５６を介して外部に導出させる。
【００３２】
また、信号処理部４７から出力されたデジタルの音声信号は、音声処理部５７に供給される。この音声処理部５７は、入力されたデジタルの音声信号を、前記スピーカ１５で再生可能なフォーマットのアナログ音声信号に変換した後、スピーカ１５に出力して音声再生させるとともに、出力端子５８を介して外部に導出させる。
【００３３】
ここで、このデジタルテレビジョン放送受信装置１１は、上記した各種の受信動作を含むその全ての動作を制御部５９によって統括的に制御されている。この制御部５９は、ＣＰＵ（central processing unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３４】
この場合、制御部５９は、主として、そのＣＰＵが実行する制御プログラムを格納したＲＯＭ（read only memory）６０と、該ＣＰＵに作業エリアを提供するＲＡＭ（random access memory）６１と、各種の設定情報及び制御情報等が格納される不揮発性メモリ６２とを利用している。
【００３５】
また、この制御部５９は、カードＩ／Ｆ（Interface）６３を介して、前記第１のメモリカード１９が装着可能なカードホルダ６４に接続されている。これによって、制御部５９は、カードホルダ６４に装着された第１のメモリカード１９と、カードＩ／Ｆ６３を介して情報伝送を行なうことができる。
【００３６】
さらに、上記制御部５９は、カードＩ／Ｆ６５を介して前記第２のメモリカード２０が装着可能なカードホルダ６６に接続されている。これによって、制御部５９は、カードホルダ６６に装着された第２のメモリカード２０と、カードＩ／Ｆ６５を介して情報伝送を行なうことができる。
【００３７】
また、上記制御部５９は、通信Ｉ／Ｆ６７を介して第１のＬＡＮ端子２１に接続されている。これにより、制御部５９は、第１のＬＡＮ端子２１に接続されたＬＡＮ対応のＨＤＤ２５と、通信Ｉ／Ｆ６７を介して情報伝送を行なうことができる。この場合、制御部５９は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３８】
さらに、上記制御部５９は、通信Ｉ／Ｆ６８を介して第２のＬＡＮ端子２２に接続されている。これにより、制御部５９は、第２のＬＡＮ端子２２に接続された各機器（図１参照）と、通信Ｉ／Ｆ６８を介して情報伝送を行なうことができる。
【００３９】
また、上記制御部５９は、ＵＳＢ Ｉ／Ｆ６９を介して前記ＵＳＢ端子２３に接続されている。これにより、制御部５９は、ＵＳＢ端子２３に接続された各機器（図１参照）と、ＵＳＢ Ｉ／Ｆ６９を介して情報伝送を行なうことができる。
【００４０】
さらに、上記制御部５９は、ｉ．Link Ｉ／Ｆ７０を介してｉ．Link端子２４に接続されている。これにより、制御部５９は、ｉ．Link端子２４に接続された各機器（図１参照）と、ｉ．Link Ｉ／Ｆ７０を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、番組説明キー１７ｑ等が設けられている。
【００４２】
図４は、このデジタルテレビジョン放送受信装置１１で現在放送中の番組を選局または録画する動作を説明するためのフローチャートを示している。この動作は、ユーザがリモートコントローラ１７の番組表キー１７ｈを操作することにより開始（ステップＳ４ａ）される。
【００４３】
すると、制御部５９は、ステップＳ４ｂで、予め放送信号やネットワーク等を介して取得した番組情報であるＥＰＧ情報に基づいて電子番組表を作成し、その一部を映像表示器１４に表示させる。この映像表示器１４に表示される電子番組表の部分は、前回に表示されたチャンネルや日時等のラスト条件に基づいて決定される。
【００４４】
図５は、映像表示器１４に表示された電子番組表の一例を示している。この電子番組表は、水平方向に６つの放送局（チャンネル）を配列し、垂直方向に５時間分の時間枠を配列して、番組を表示している。
【００４５】
この電子番組表上では、１つの番組がカーソルＫによって選択されている。図５では、放送局「日本テレビ」が午前１１時より放送する「今日の出来事＆SPORTS MAX」なる番組が、ハッチングで示すカーソルＫによって選択されている例を示している。そして、リモートコントローラ１７のカーソルキー１７ｆを操作することにより、カーソルＫを上下左右方向に移動させて、所望の番組を選択することが可能である。この場合、カーソルＫの移動に伴なって、電子番組表を上下左右方向に選択的にスクロールさせることが可能となっている。
【００４６】
このような電子番組表の表示状態において、制御部５９は、ステップＳ４ｃで、電子番組表上で現在放送中の番組が選定されたか否かを判別する。この選定されたか否かの判別は、電子番組表上で現在放送中の所望の番組がカーソルＫにより選択され、かつ、リモートコントローラ１７の決定キー１７ｇが操作されたか否かを判定することにより行なわれる。
【００４７】
そして、電子番組表上で現在放送中の番組が選定されたと判断された場合（ＹＥＳ）、制御部５９は、ステップＳ４ｄで、その選定された番組に対する番組情報を取得し、ステップＳ４ｅで、取得した番組情報を上記不揮発性メモリ６２に格納された録画テーブルに記憶させる。選定された番組の録画が要求された場合、制御部５９は、録画テーブルに記憶された番組情報に基づいて、その番組の録画を実行するようになっている。
【００４８】
その後、制御部５９は、ステップＳ４ｆで、先に選定された番組が録画可能か否かを判別する。この判別としては、例えば、選定された番組の放送時間帯に重なって他の番組の録画予約が設定されているか否かを判別する録画重複判別、選定された番組に対して受信契約がなされているか否かを判別する契約判別、選定された番組に対してコピーが許可されているか否かを判別するコピー制御判別、その他、録画を制限する条件が設定されているか否かの判別がある。
【００４９】
そして、選定された番組が録画可能であると判断された場合（ＹＥＳ）、制御部５９は、ステップＳ４ｇで、番組指定録画／選局画面を表示させる。この番組指定録画／選局画面は、図６に示すように、選定された番組に対して取得した番組情報に基づいて、番組名、放送局名、チャンネル、放送日、放送時間、番組の概要説明等を表示している。これにより、ユーザは、選定した番組についての番組情報を容易に確認することができる。
【００５０】
また、この番組指定録画／選局画面では、「録画（または録る）」の項目と「選局（または視る）」の項目とが、選択的に選定可能となるように表示されている。この選定は、リモートコントローラ１７のカーソルキー１７ｆを操作して「録画」及び「選局」のいずれかの項目を選択し、決定キー１７ｇを操作することにより行なわれる。
【００５１】
その後、制御部５９は、ステップＳ４ｈで、番組指定録画／選局画面上において、「録画」及び「選局」のいずれの項目が選定されたかを判別する。そして、「録画」の項目が選定されたと判断された場合、制御部５９は、ステップＳ４ｉで、先に選定された現在放送中の番組を選局し、その選局された番組を録画テーブルの番組情報に基づいて録画して、処理を終了（ステップＳ４ｎ）する。これにより、現在放送中の番組を選局して録画することができる。
【００５２】
この録画処理においては、選局された現在放送中の番組を録画しながら視聴することができるとともに、番組情報に基づいて、番組の終了時刻に達したとき自動的に録画が停止されるようになっている。
【００５３】
また、上記ステップＳ４ｈで、「選局」の項目が選定されたと判断された場合、制御部５９は、ステップＳ４ｊで、先に選定された現在放送中の番組について選局処理を実行し、処理を終了（ステップＳ４ｎ）する。これにより、現在放送中の番組を選局し視聴することができる。
【００５４】
なお、この選局処理においては、選局された番組の終了時刻に達しても、自動的に選局が停止されることはなく、選局したチャンネルをそのまま継続して視聴することができるようになっている。
【００５５】
一方、上記ステップＳ４ｆで、選定された番組が録画可能でないと判断された場合（ＮＯ）、制御部５９は、ステップＳ４ｋで、図７に示すような番組指定録画／選局画面を表示させる。
【００５６】
この番組指定録画／選局画面は、図６に示したものと同様に、選定された番組に対して取得した番組情報に基づいて、番組名、放送局名、チャンネル、放送日、放送時間、番組の概要説明等を表示している。これにより、ユーザは、選定した番組についての番組情報を容易に確認することができる。
【００５７】
ただし、この図７に示す番組指定録画／選局画面では、「録画」の項目がハッチングして示すようにトーンダウンして表示されており、ユーザに選定することができないことを知らせるようになっている。また、実際にリモートコントローラ１７のカーソルキー１７ｆを操作しても、「録画」の項目を選択することができないように設定されている。これにより、ユーザは、選定された現在放送中の番組を録画することができないことを、録画を要求する操作を行なう前に認識することができる。
【００５８】
そして、制御部５９は、ステップＳ４ｌで、「選局」の項目が選定されたと判断された場合（ＹＥＳ）、ステップＳ４ｍで、先に選定された現在放送中の番組について選局処理を実行し、処理を終了（ステップＳ４ｎ）する。これにより、現在放送中の番組を選局し視聴することができる。
【００５９】
上記した実施の形態によれば、まず、電子番組表から現在放送中の番組を選択し決定した時点で、その番組の番組情報を取得し番組指定録画／選局画面として表示するようにしているので、ユーザは、選定した番組についての番組情報を容易に確認することが可能となる。
【００６０】
また、番組指定録画／選局画面上において、選定された番組を録画するか選局するかの操作を行なうことができるようにしたので、ユーザが録画対象または選局対象となる番組についての番組情報を容易に確認することができる。
【００６１】
さらに、選定した番組が録画可能か否かを判別し、録画可能でない場合には、番組指定録画／選局画面上において「録画」の項目をトーンダウンして録画ができない旨を示すようにしたので、ユーザは、選定した現在放送中の番組を録画することができないことを、録画を要求する操作を行なう前に認識することができ、ユーザにとっての取り扱いを便利にすることができる。
【００６２】
なお、上記した録画重複判別について言えば、電子番組表上において、録画予約されている番組は、例えば他の番組と異なる色で表示される等、表示形態を変えて表示される場合もある。この場合、ユーザは、電子番組表を見ることにより、選定された現在放送中の番組の放送時間帯に重なって他の番組の録画予約が行なわれているか否かを認識することが可能となる。
【００６３】
しかしながら、画面に表示されている電子番組表は、全体の一部であるから、画面に表示されていない部分で番組が録画予約されているか否かを知るには、現在の時刻に対応する部分の電子番組表をスクロールさせて全て見なければならず、ユーザにとって取り扱いが煩雑になる。
【００６４】
このため、上記したように、ユーザが現在放送中の番組を選定した時点で、番組情報を表示する番組指定録画／選局画面上において、録画が可能か否かを表示させるようにしたことは、ユーザにとっての使い勝手を便利にし、十分に実用に適する効果を得ることができるものである。
【００６５】
なお、上記ステップＳ４ｉに示す録画処理の実行中において、ユーザが再生を要求することにより、その録画している番組を再生する、いわゆる追っかけ再生を行なうことも可能である。
【００６６】
図８は、上記デジタルテレビジョン放送受信装置１１で現在視聴中の番組を録画する動作を説明するためのフローチャートを示している。この動作は、ユーザが現在放送中の所定の番組を視聴している状態で開始（ステップＳ８ａ）される。
【００６７】
すると、制御部５９は、ステップＳ８ｂで、リモートコントローラ１７の番組説明キー１７ｑが操作されたか否かを判別し、操作されたと判断された場合（ＹＥＳ）、ステップＳ８ｃで、現在視聴している番組に対する番組情報を取得し、ステップＳ８ｄで、取得した番組情報を上記不揮発性メモリ６２に格納された録画テーブルに記憶させる。
【００６８】
その後、制御部５９は、ステップＳ８ｅで、現在視聴している番組が録画可能か否かを判別する。この判別としては、例えば、視聴中の番組の放送時間帯に重なって他の番組の録画予約が設定されているか否かを判別する録画重複判別、視聴中の番組に対してコピーが許可されているか否かを判別するコピー制御判別、その他、録画を制限する条件が設定されているか否かの判別がある。
【００６９】
そして、視聴中の番組が録画可能であると判断された場合（ＹＥＳ）、制御部５９は、ステップＳ８ｆで、番組説明画面を表示させる。この番組説明画面は、図９に示すように、現在視聴している番組の映像に重ねて表示されるもので、視聴中の番組に対して取得した番組情報に基づいて、番組名、放送局名、チャンネル、放送日、放送時間、番組の概要説明等を表示している。これにより、ユーザは、視聴中の番組についての番組情報を容易に確認することができる。
【００７０】
また、この番組説明画面には、「録画」の項目が表示されている。この「録画」の項目は、リモートコントローラ１７のカーソルキー１７ｆを操作して選択し、決定キー１７ｇを操作することにより選定することができる。
【００７１】
そして、制御部５９は、ステップＳ８ｇで、番組説明画面上において、「録画」の項目が選定されたか否かを判別する。そして、「録画」の項目が選定されたと判断された場合（ＹＥＳ）、制御部５９は、ステップＳ８ｈで、現在放送中の番組を録画テーブルの番組情報に基づいて録画し、処理を終了（ステップＳ８ｊ）する。これにより、現在視聴中の番組を録画することができる。
【００７２】
この録画処理においては、番組を視聴しながら録画することができるとともに、番組情報に基づいて、番組の終了時刻に達したとき自動的に録画が停止される。なお、録画した番組が終了時刻に達しても、選局が停止されることはなく、選局していたチャンネルをそのまま継続して視聴することができるようになっている。
【００７３】
一方、上記ステップＳ８ｅで、視聴している番組が録画可能でないと判断された場合（ＮＯ）、制御部５９は、ステップＳ８ｉで、図１０に示すような番組説明画面を表示させて処理を終了（ステップＳ８ｊ）する。
【００７４】
この番組説明画面は、図９に示したものと同様に、視聴中の番組に対して取得した番組情報に基づいて、番組名、放送局名、チャンネル、放送日、放送時間、番組の概要説明等を表示している。これにより、ユーザは、視聴中の番組についての番組情報を容易に確認することができる。
【００７５】
ただし、この図１０に示す番組説明画面では、「録画」の項目がハッチングして示すようにトーンダウンして表示されており、ユーザに選定することができないことを知らせるようになっている。また、実際にリモートコントローラ１７のカーソルキー１７ｆを操作しても、「録画」の項目を選択することができないように設定されている。これにより、ユーザは、現在視聴中の番組を録画することができないことを、録画を要求する操作を行なう前に認識することができる。
【００７６】
図８に示した動作によれば、まず、現在放送中の所定の番組を視聴している状態で、リモートコントローラ１７の番組説明キー１７ｑを操作することにより、その視聴中の番組の番組情報を取得し番組説明画面として表示するようにしているので、ユーザは、現在視聴中の番組についての番組情報を容易に確認することが可能となる。
【００７７】
また、番組説明画面上において、視聴中の番組を録画するための操作を行なうことができるようにしたので、ユーザが録画対象となる番組についての番組情報を容易に確認することができる。
【００７８】
さらに、現在視聴中の番組が録画可能か否かを判別し、録画可能でない場合には、番組説明画面上において「録画」の項目をトーンダウンして録画ができない旨を示すようにしたので、ユーザは、現在視聴している番組を録画することができないことを、録画を要求する操作を行なう前に認識することができ、ユーザにとっての取り扱いを便利にすることができる。
【００７９】
また、上記ステップＳ８ｈに示す録画処理の実行中において、ユーザが再生を要求することにより、その録画している番組を再生する、いわゆる追っかけ再生を行なうことも可能である。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す図。
【図４】同実施の形態におけるデジタルテレビジョン放送受信装置が現在放送中の番組を録画または選局する動作を説明するために示すフローチャート。
【図５】同実施の形態におけるデジタルテレビジョン放送受信装置が表示する電子番組表の一例を説明するために示す図。
【図６】同実施の形態におけるデジタルテレビジョン放送受信装置が表示する番組指定録画／選局画面の一例を説明するために示す図。
【図７】同実施の形態におけるデジタルテレビジョン放送受信装置が表示する番組指定録画／選局画面の他の例を説明するために示す図。
【図８】同実施の形態におけるデジタルテレビジョン放送受信装置が現在視聴中の番組を録画する動作を説明するために示すフローチャート。
【図９】同実施の形態におけるデジタルテレビジョン放送受信装置が表示する番組説明画面の一例を説明するために示す図。
【図１０】同実施の形態におけるデジタルテレビジョン放送受信装置が表示する番組説明画面の他の例を説明するために示す図。
【符号の説明】
【００８２】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４ａ〜５４ｄ…入力端子、５５…映像処理部、５６…出力端子、５７…音声処理部、５８…出力端子、５９…制御部、６０…ＲＯＭ、６１…ＲＡＭ、６２…不揮発性メモリ、６３…カードＩ／Ｆ、６４…カードホルダ、６５…カードＩ／Ｆ、６６…カードホルダ、６７…通信Ｉ／Ｆ、６８…通信Ｉ／Ｆ、６９…ＵＳＢ Ｉ／Ｆ、７０…ｉ．Link Ｉ／Ｆ。
【図１】
2006245682.tif 000003
【図２】
2006245682.tif 000004
【図３】
2006245682.tif 000005
【図４】
2006245682.tif 000006
【図５】
2006245682.tif 000007
【図６】
2006245682.tif 000008
【図７】
2006245682.tif 000009
【図８】
2006245682.tif 000010
【図９】
2006245682.tif 000011
【図１０】
2006245682.tif 000012